(57)【要約】【課題】自律神経の正常な活動を促進し、身体に生じ得る歪みや障害を予防及び矯正することができるとともに、部品点数を低減して構造の簡素化及び軽量化が可能であり、且つ、座板の下方空間をより大きく確保できる着座具等を提供する。【解決手段】椅子１０は、着座具１が脚体２上に設置されたものである。着座具１は、座板１１を備えており、その座板１１における着座方向の前後の中央部の内部には、トーションバースプリングが筒状体内に収容された支持部材１４が、座板１１の幅方向に亘って延在するように組み込まれて保持されている。このように、座板１１が、支持部材１４の保持体を兼ねている。また、座板１１は、支持部材１４を軸中心として着座方向における前後に回動するように脚体２上に保持されている。【選択図】図１
2009072292.tif 000002
【特許請求の範囲】
【請求項１】
保持体に設けられた支持部材と、
前記支持部材を中心として略鉛直方向に遊動可能に設けられた座板と、
を備えており、
前記支持部材は、前記座板の着座方向における前方部位に鉛直下方の力が作用したときに、該力に抗する力を該座板に印加するものである、
着座具。
【請求項２】
保持体に設けられた支持部材と、
前記支持部材に対して略鉛直方向に遊動可能に設けられた座板と、
を備えており、
前記支持部材は、前記座板の着座方向における前方部位に鉛直方向の力が作用したときに、該前方部位を略鉛直上方へ弾性的に支持するものである、
着座具。
【請求項３】
前記支持部材は、ねじり棒ばね式の弾性体を有するものである、
請求項１又は２記載の着座具。
【請求項４】
前記支持部材は、前記座板の幅方向に亘って延在するように設けられたものである、
請求項３記載の着座具。
【請求項５】
前記支持部材は、前記座板の着座方向における後方部位に設けられたものである、
請求項３又は４記載の着座具。
【請求項６】
前記座板は、前記保持体を兼ねるものである、
請求項３〜５のいずれか１項記載の着座具。
【請求項７】
前記支持部材は、前記座板の着座方向における前方部位の下部と、前記座板の着座方向における後方部位の下方に位置する前記保持体の一部と、に連結された弾性体、及び／又は、シリンダ装置を有するものである、
請求項１〜５のいずれか１項記載の着座具。
【請求項８】
前記支持部材は、前記着座方向における位置が調節可能に設けられたものである、
請求項１〜６のいずれか１項記載の着座具。
【請求項９】
請求項１〜８のいずれか１項記載の着座具と、
前記着座具が設置された脚体と、
を備える椅子。
【発明の詳細な説明】
【技術分野】
【０００１】
本発明は、着座具及び椅子に関する。
【背景技術】
【０００２】
一般に、椅子は、安楽に腰掛けることを企図した構造を有するものが多い。例えば、背もたれを有する椅子では、着座者は、背もたれに背中を当てた姿勢で座る傾向にある。この場合、着座者は、後ろ重心の姿勢になりがちである。このような姿勢で、例えば机に向かうと、背部が曲げられ且つ腹部が圧迫される前屈みの状態となってしまい、前傾した頭部を、首及び肩の筋肉で支えることとなるため、肩こりが起こり易い。
【０００３】
また、自律神経の健全な働きは、交感神経と副交感神経の均衡がとれた働きによって維持されることが知られている。ところが、上記のような前屈みの姿勢で長時間のデスクワークを続けると、疲労が重なって身体的には副交感神経の働きを要求するにもかかわらず、デスクワークには交感神経の働きが要求されるため、交感神経を強制的に緊張させる必要が生じてしまう。その結果、交感神経の働きと副交感神経の働きとの不均衡が引き起こされ、ストレス（交感神経過緊張）を増長させる原因となる。
【０００４】
このような不都合を解消すべく、本発明者は、特許文献１記載の着座具を提案した。この着座具は、椅子の底面に設置され且つ座板の下面に設けられた支点部材によって座板が回動自在に支持されると共に、その座板の片側自由端の下面に設けられた弾性部材によってその座板が支点部材を中心に上方向に弾性的に支持されて成るものである。この着座具を用いると、交感神経を上位支配とすべきデスクワーク時に、座板に腰掛けた着座者が弾性部材の弾性力に抗して座板の片側自由端を押圧する前重心の姿勢で腰掛けることができ、これにより、交感神経の正常な働きを促すことが可能となる。
【０００５】
また、近年では、他の種々なストレスや生活習慣の変化による身体機能の低下が目立っており、それが要因の一つとなって身体に様々な歪みや種々の障害がますます生じ易くなってきている。これを防止すべく、自律神経の正常な活動を促進するのみならず、それらのより効果的且つ総合的な予防及び矯正方法を確立することが熱望されてきた。
【０００６】
その一方で、上記のような不都合を解消するために、旧来から、医薬を用いたり、手技を定期的に受ける等の治療方法が行われているが、手間、時間、及び費用が掛かってしまうことから、より簡便な予防及び矯正手段も求められている。
【０００７】
そこで、本発明者は、身体に生じ得る様々な歪みや種々の障害を、更に効果的且つ総合的にしかも簡便に予防及び矯正することが可能な着座機構及び椅子を提供すべく、特許文献１記載の着座具の更なる改良を行い、特許文献２に記載されている着座機構を提案した。この着座機構は、支持部を中心に略鉛直方向に遊動可能に設けられた座板と、その座板に鉛直方向の力が作用したときに、その力に抗する力を座板に印加する二つの制御部が支持部を挟むように設けられたものである。
【特許文献１】特許第３６５４７６５号公報
【特許文献２】国際公開ＷＯ２００６／０２７８２２パンフレット
【発明の開示】
【発明が解決しようとする課題】
【０００８】
本発明者は、上記従来の着座具等を用いることにより、自律神経の正常な活動を促進し、身体に生じ得る様々な歪みや種々の障害を効果的且つ総合的に予防及び矯正することが実現され、この点において、それら着座具等の所期の目的を達成できることを確認した。そこで、本発明者は、別の観点から更なる検討を行なったところ、それらの着座具等は、生産性や使用性の観点から更なる改良の余地があることを見出した。
【０００９】
具体的には、特許文献１記載の着座具では、座板の下部に支点部材と弾性部材を配置し、また、座板の裏面下方にそれらを保持するための構造を設ける必要があり、特許文献２記載の着座機構では、支点部、及び、その支点部を挟むように配置された二つの制御部と、やはり座板の裏面下方にそれらを保持するための構造が必要となる。よって、これらの着座具等においては、部品点数を低減することにより、より簡易な構造の追及及び軽量化が望まれる。また、これらの着座具等を脚体に載せて椅子を構成する場合、上述の如く、座板の裏面下に、支持部材や弾性体の保持構造を設ける必要があるため、座板下に十分な空間を確保し難い傾向にあり、構造によっては、着座者の座り心地や本来的に意図する着座者の姿勢を妨げてしまう懸念がある。
【００１０】
そこで、本発明はかかる事情に鑑みてなされたものであり、自律神経の正常な活動を促進し、身体に生じ得る様々な歪みや種々の障害を効果的且つ総合的に予防及び矯正することを実現できるとともに、部品点数を低減して構造の簡素化及び軽量化が可能であり、且つ、座板の下方空間をより大きく確保して着座者の着座状態を不都合に制限してしまうことを防止できる着座具、及びそれを用いた椅子を提供することを目的とする。
【課題を解決するための手段】
【００１１】
上記課題を解決するために、本発明による着座具は、保持体に設けられた支持部材と、支持部材を中心として（支持部材に対して）略鉛直方向に遊動可能に設けられた座板とを備えており、支持部材は、座板の着座方向における前方部位に鉛直方向の力が作用したときに、その力に抗する力を座板に印加する、或いは、その座板の前方部位を略鉛直上方へ弾性的に支持するものである。
【００１２】
このように構成された着座具においては、座板が、保持体に設けられた支持部材を中心として遊動可能に設けられているので、てこの原理により、着座具に座ったヒト（着座者）の荷重バランスに応じて、支持部材を言わば‘支点’として座板が傾動する。
【００１３】
例えば、着座者の身長に応じて適度な高さレベルにこの着座具を設置して腰掛けるとき、着座者の重心線が支持部材のやや後方に垂下すれば、着座方向における後方側の部位が押し下げられるように座板が傾動し、安楽な着座体勢となる。一方、つま先（より厳密には、中足趾節（ＭＰ）関節）が床面に接するように重心を前にずらして着座すれば、座板は略水平状態とされ、さらに踵が床面につくように大腿骨を動かしてやや前重心の体勢をとると、膝関節が下がって座板の前方側が押し下げられる。これにより、座板が前傾し、着座者も前傾姿勢となる。
【００１４】
この前重心の体勢のとき、座板の着座方向における前方部位には鉛直下方の力（着座者の荷重）が作用し、その力の作用点である座板の前方部位に、支持部材によってその力に抗する力が印加し、座板のその前方部位が略鉛直上方へ弾性的に支持される。これにより、座板が初期の姿勢状態（例えば略水平状態）に復帰するような力が座板全体に作用する。
【００１５】
これに対し、座板及び着座者の前傾姿勢を保持しようとすれば、座板を復帰させるように作用する支持部材からの力に対抗すべく、脊柱の伸展を維持し、且つ、抗重力筋をはじめとする身体の多くの筋群を同時に且つ適度に緊張させ続けなければならない。よって、着座者が、そのような前傾姿勢を保持するように本発明の着座具に座するだけで、脊柱が前屈みになったり腰掛けた姿勢が崩れたりせず、しかも身体に備わる筋群の脆弱化が複合的に且つ有効に防止される。
【００１６】
また、支持部材が支点として機能するだけではなく、上述の如く、着座者の荷重に抗して座板の前方部位に力を印加して弾性的に保持する言わば制御機構としても動作するので、例えば、従来の特許文献１及び２に記載された着座具等に備わる支持部材と別体に設けられた弾性部材が不要となるので、部品点数が低減され、その分、座板裏面における部品の配置空間も削減される。
【００１７】
また、支持部材の種類は特に制限されないが、具体的には、例えば、ねじり棒ばね（torsion bar spring；トーションバースプリング）式の弾性体を有するものであると好ましい。このようにすれば、コイルばね式の弾性体を用いる場合に比して、支持部材の更なる簡略化、小型化、及び軽量化が図られる。また、異なる弾性強度のねじり棒ばねを適宜選択して用いることにより、座板の保持力及び座板への抗力を平易に調節することができる。
【００１８】
この場合、支持部材は、座板の幅方向に亘って延在するように、例えば、ねじり棒ばね式の弾性体が、着座者に対して左右方向に延在配置されるように設けられたものであると有用である。こうすれば、支持部材の延在軸が支点軸となり、着座者が前重心の体勢で着座具に腰掛けたときに、座板の着座方向における前方部位に印加された着座者の荷重によって、ねじり棒ばね式の弾性体にねじれが生じ、その復元力によって、座板の前方部位に荷重に抗する力が印加される。これにより、座板の前方部位が略鉛直上方へ弾性的に支持される。そして、支持部材が座板の幅方向に亘って延在するように設けられるので、座板がその幅方向全体に亘って均一に保持され、換言すれば、座板及び着座者に対して、局所的な力が作用してしまうことが抑制され、着座者の前傾姿勢を保持し易くなる。
【００１９】
さらに、支持部材が、座板の着座方向における後方部位、より好ましくは、後方端部に設けられたものであると好適である。このようにすれば、座板の裏面の中央部下方に、支持部材が配されないので、座板下方の空間領域をより広く確保することが可能となる。
【００２０】
またさらに、支持部材がねじり棒ばね式の弾性体を有するものである場合、座板が、支持部材を保持するための保持体を兼ねるものであると更に好ましい。ねじり棒ばね式の弾性体は、それ自体のねじれにより、そのねじれ方向と逆向きに抗力（反発力、復元力）を生じる。よって、着座者の荷重が印加される座板自体に支持部材が組み込まれて保持されることにより、荷重の印加方向と逆向きの抗力が座板に対して作用し、それにより、座板が略鉛直上方に向かって弾性的に支持される。こうすれば、保持体を座板と別体に設ける必要がないので、保持体を別途設置するための空間領域と部品点数を更に削減することができる。
【００２１】
さらにまた、支持部材が、前述したねじり棒ばね式の弾性体に替えて、又は、それに加えて、座板の着座方向における前方部位の下部と、座板の着座方向における後方部位の下方に位置する保持体の一部に連結された弾性体、及び／又は、シリンダ装置を有するものであっても好ましい。ここで、弾性体としては、例えば各種ばね、ゴム、等が挙げられ、また、シリンダ装置としては、例えば、筒状の気圧又は油圧シリンダ若しくはダンパ等が挙げられる。このようにしても、支持部材が、傾動する座板の支点と座板を弾性的に支持する制御機構を兼ねるので、従来に比して部品点数が低減され、その分、座板裏面における部品の配置空間が削減される。
【００２２】
加えて、座板の後方部位に設けたねじり棒ばね式の弾性体と、座板の着座方向における前方部位の下部と、座板の着座方向における後方部位の下方に位置する保持体の一部に連結された弾性体、及び／又は、シリンダ装置を組み合わせて支持部材を構成する場合、座板の保持力及び座板へ印加される抗力を高めることができ、そのダイナミックレンジ（調節しろ）をより大きくすることが可能となって、更なる治療効果を実現できる。
【００２３】
さらに、支持部材は、着座方向における位置が調節可能に設けられたものであると一層好適である。これにより、着座者の体型等に応じて、着座状態における重心位置と、支点として機能する支持部材との相対的な配置関係を任意に調節することが可能となる。なお、上述の如く、支点部材は、座板の後方部位に設けられることがより好ましい。
【００２４】
また、本発明による椅子は、本発明の着座具を備えて有効に機能するものであり、上述した本発明による着座具と、それが設置された脚体とを備える。
【発明の効果】
【００２５】
本発明によれば、保持体に設けられた支持部材が、支持部材を中心として（支持部材に対して）略鉛直方向に遊動可能に設けられた座板の着座方向における前方部位に鉛直方向の力が作用したときに、その力に抗する力を座板に印加する、或いは、その座板の前方部位を略鉛直上方へ弾性的に支持するものであるので、自律神経の正常な活動を促進し、身体に生じ得る様々な歪みや種々の障害を効果的且つ総合的に予防及び矯正することを実現できるとともに、部品点数を低減して構造の簡素化及び軽量化が可能であり、且つ、座板の下方空間をより大きく確保して着座者の着座状態を不都合に制限してしまうことを防止できる。
【発明を実施するための最良の形態】
【００２６】
以下、本発明の実施の形態について詳細に説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明をその実施の形態のみに限定する趣旨ではない。さらに、本発明は、その要旨を逸脱しない限り、さまざまな変形が可能である。
【００２７】
図１は、本発明による着座具及びそれを備える椅子の好適な一実施形態を模式的に示す斜視図である。椅子１０は、着座具１が四脚の脚体２上に設置されたものである。着座具１は、略矩形を成す板状部材で形成された座板１１を備えており、座板１１全体が、適宜のカバー部材１２で覆われている。また、座板１１における着座方向の前後の中央部の内部には、トーションバースプリング（ねじり棒ばね式の弾性体）が筒状体内に収容された支持部材１４が、座板１１の幅方向（着座方向における左右方向）に亘って延在するように組み込まれて保持されている。このように、座板１１が、支持部材１４の保持体を兼ねている。また、図示において詳細を省略したが、座板１１は、支持部材１４を軸中心として着座方向における前後に回動するように、且つ、その可動範囲が適宜の範囲に規制されるように、脚体２上に保持されている。
【００２８】
また、支持部材１４は、トーションバースプリングが図示矢印Ｓ方向にねじれると、そのねじれ方向と反対向きにねじれるような復元力を生じ、これに伴って、座板１１も矢印Ｓ字方向に回動され、その結果、座板１１の着座方向における前方部位及び後方部位が、略鉛直方に可動される。さらに、着座方向における座板１１の前方端部の上面には、緩やかに盛り上がった断面略台形状を成す凸状部材１６が、座板１１の幅方向に亘って延在するように突設されている。
【００２９】
このように構成された着座具１及びそれを備える椅子の作用について、さらに図２を参照して以下に詳説する。図２は、本発明による着座具及びそれを備える椅子の好適な他の一実施形態に人が腰掛けた状態を模式的に示す側面図（一部断面図）である。椅子１００は、着座具１の座板１１上面に適宜のクッション材８が付設されたこと以外は、椅子１０と同様に構成されたものである。
【００３０】
椅子１００は、着座者Ｈの身長に合うように脚長が調整されたものを選択することが好ましく、具体的には、椅子１００の前に起立し、座板１１の高さが着座者Ｈの膝窩（膝の裏の皺がある部位）よりも例えば３〜１０ｃｍ程度高くなるように、脚長が調節されたものが好ましい。また、後述するように、着座して座板１１が略水平状態にあるときに、つま先（ＭＰ関節）が床面に接するように、座板１１の高さが設定されたものが望ましい。
【００３１】
さらに、座板１１の傾動の支点として機能する支持部材１４は、上述の如く、座板１１の前後方向における略中央に配置されているが、より好ましくは、着座者Ｈの大転子（大腿骨最上端部）の近傍に支持部材１４が位置するように位置調節されたものを座板１１として用いると好適である。
【００３２】
このような椅子１００に着座者Ｈが着座すると、通常、着座者Ｈの重心線が支持部材１４よりも後方に垂下する場合、座板１１は後方に傾動するものの、支持部材１４のトーションバースプリングが、図示矢印Ｘｓ方向にねじれることにより、それとは反対向きの復元力が生じ、その力が座板１１の後方への傾動に対する抗力となって座板１１へ印加される。これにより、座板１１の後端部は略鉛直上方へ押し返され、その結果、座面すなわち着座者Ｈの大腿骨が略水平に保たれ、つま先（ＭＰ関節）が床面に接する。なお、前記の如く、座板１１が適宜の可動範囲に規制されるように脚体２上に保持されていることによっても、かかる体勢が保持される。この体勢は、骨盤がやや後傾しており比較的安楽な着座状態と言える。
【００３３】
また、この体勢では、通常、大腿骨の遠位端から大腿骨全長の約三分の一の部位が凸状部材１６と当接する。そして、この状態から、踵が床面につくように大腿骨を動かすと、大腿骨遠位端に位置する膝関節が下がり、凸状部材１６が鉛直下向きの力の‘作用点’となって座板１１の前方端が押し下げられる。同時に、凸状部材１６が大腿骨の動作の‘支点’となり、大腿骨近位端に位置する股関節が上方に移動する。これらの動きにより、股関節が解剖学的に伸展される。また、その股関節の伸展により、下腿の伸筋群・屈筋群が適度に緊張すると共に、股関節における大殿筋及びハムストリングス筋の収縮等が生じる。さらに、関節を固定するために、屈筋群の一つである腸腰筋等も収縮する。
【００３４】
このようにして座板１１が前傾すると、着座者Ｈの重心が前方に移動し、骨盤は、座板１１が略水平状態にあった当初よりも前傾すると共に、脊柱が伸びて、着座者Ｈはやや前傾姿勢で着座した状態となる。なお、着座者Ｈが椅子１０へ座ることに慣れてくれば、着座した初期状態から、このような前傾姿勢をとることができる。
【００３５】
ここで、座板１１が前傾した状態では、後傾の場合とは逆に、支持部材１４のトーションバースプリングが、図示矢印Ｘｓ方向とは反対方向にねじれることにより、その逆向きである矢印Ｘｓ方向の復元力が生じ、その力が座板１１の前方への傾動に対する抗力となって座板１１へ印加される。これにより、座板１１は水平状態に復帰するように、ただし、着座者Ｈの荷重と支持部材１４のトーションバースプリングの反発力との均衡がとれる位置まで押し上げられる。
【００３６】
このように、座板１１の着座方向における前方部位に、着座者Ｈの荷重によって鉛直下方の力が作用した場合、その力に抗する力、つまり、ねじれに対する支持部材１４の反発力により、座板１１の前方端部が押し上げられる、換言すれば、支持部材１４が、座板１１の前方部位を略鉛直上方へ弾性的に支持するので、着座者Ｈは、その前傾姿勢を保持するために必要な筋肉を緊張させる必要がある。
【００３７】
より具体的には、支持部材１４のねじれに抗する図示矢印Ｘｓ方向の力によって、座板１１が水平方向に復元されるような動作が生じるので、下肢共々全身の筋を不用意に弛緩させてしまうと、座板１１が簡易に初期の水平状態に復することとなる。こうなると、骨盤が後傾して当初の安楽な着座状態となってしまう。
【００３８】
よって、座板１１及び着座者Ｈの上述した前傾姿勢を保持するためには、下腿の伸筋及び屈筋群（下腿三頭筋）の筋緊張を適度に且つ継続的又は断続的に持続させる必要がある。逆にこのような筋緊張を維持すれば、筋力の脆弱化を防止できると共に、筋ポンプ作用によって静脈血・リンパの還流が促され、下腿の浮腫を防止したり足首を引き締めたりするといった効果が得られる。
【００３９】
また、座板１１及び着座者Ｈの前傾姿勢を保持するためには、股関節が内旋・外旋中間位で凸状部に接し易くなるので、特に、股関節の大腿筋膜張筋をはじめとする内旋筋群、及び梨状筋をはじめとする外旋筋群、並びに、股関節の伸筋及び屈筋をも適度に緊張させる必要がある。逆にこのような筋緊張を持続すれば、それらの筋力の発達を促進でき、その結果、股関節に生じ得る障害を有効に予防することができる。
【００４０】
さらに、座板１１及び着座者Ｈの前傾姿勢を保持することにより、大腿骨及び脛骨が、ヒトが本来的に有する生理的に適正な状態（生理的ライン）に復するようになるので、膝の外反（Ｘ脚）や内反（Ｏ脚）を矯正するという効果も奏される。
【００４１】
またさらに、座板１１及び着座者Ｈの前傾姿勢を保持するためには、股関節を伸展する筋であり且つ坐骨結節に起始するハムストリングス筋（大腿二頭筋、半健半膜様筋）の緊張を適度に且つ継続的又は断続的に持続させる必要がある。逆にこのような筋緊張を維持すれば、股関節の屈筋である大腿四頭筋の適度な緊張も引き起こされる。これにより、大腿の筋萎縮を抑止することができ、その結果、大腿の抗重力筋の筋力低下を防止することが可能となる。
【００４２】
さらにまた、椅子１００に腰掛けた状態で座板１１及び着座者Ｈの前傾姿勢を保持することにより、足を組むことや他の不自然な下肢の肢位をとることが困難となるので、身体の歪みを予防でき、また、身体に生じている歪みを矯正することもできる。
【００４３】
また、座板１１及び着座者Ｈの前傾姿勢を保持すれば、骨盤において、股関節伸筋群の大殿筋、外転に関与する中殿筋、内旋及び外転に関与する小殿筋の適度な筋緊張も継続的又は断続的に維持される。こうすれば、これらの筋の萎縮が抑制され、筋力の脆弱化を防止できる。そればかりか、美容的観点に立てば、いわゆるヒップアップの効果が奏される。しかも、大殿筋、中殿筋、及び小殿筋の緊張のみならず、骨盤底筋の緊張をも生じるので、着座者Ｈが痔ろうや痔核等を患っていても、それらが座板１１の座面から直接圧迫されることを回避できる。
【００４４】
さらに、座板１１及び着座者Ｈの前傾姿勢を保持しようとすると、体幹後部の起立筋群、体幹前部の腹筋群、及び、脊柱から小転子に走行する腸腰筋群の互いに協調した筋緊張によって腸骨がやや前傾に保たれ、脊柱が自然な立位姿勢のように伸展する。これらにより、抗重力筋のなかでも重要な筋の一つである腸腰筋の筋力低下を防止することができる。その結果、腰椎の後彎、前彎、側彎等に起因する腰痛の予防が可能となる。また、壮年期及び老年期においては、このような抗重力筋の脆弱化を予防することにより、寝たきり症状の発生を有効に抑止することが可能となる。
【００４５】
また、このように脊柱の生理的に適正な状態（生理的ライン）が生成されると、胸部において猫背を予防し且つ呼吸運動を楽にするような作用が生じる。加えて、不自然な肩の緊張や頸部の前屈・後屈が抑制されるので、肩こりや頸のこりを予防することができる。さらに、生理的ラインが形成される姿勢は、眼の無駄な近点調節を防止でき、これにより、仮性近視や眼精疲労の予防に資することができる。またさらに、美容的な観点からは、バストアップの効果が得られる。さらにまた、腹筋の適度な緊張は、筋力低下に伴う内臓下垂等の障害の発生の予防にも寄与することができ、美容的観点からすれば、ウエストを引き締める効果も得られる。
【００４６】
よって、着座具１及びそれを備える椅子１０，１００によれば、以上説明したような種々の効果を複合的に奏することができるので、身体に生じ得る様々な歪みや種々の障害を、効果的且つ総合的に、しかも簡便に予防及び矯正することが可能となる。
【００４７】
また、支持部材１４が支点として機能するだけではなく、着座者Ｈの荷重に抗して座板１１の前方部位に力を印加して弾性的に保持する制御機構としても動作するので、従来の特許文献１及び２に記載された着座具等に備わる支持部材と別体に設けられた弾性部材が不要となる。よって、部品点数を低減することができ、その分、座板１１の裏面における部品の配置空間を削減できる。これにより、着座具１及び椅子１０，１００の構造を簡略化し且つ軽量化することができるとともに、座板１１下の空間をより多く確保することができるので、着座者Ｈの着座姿勢を不都合に制限してしまうことを抑止できる。
【００４８】
さらに、支持部材１４としてトーションバースプリング式の弾性体を用いているので、例えばコイルばね式の弾性体を用いる場合に比して、支持部材１４の更なる簡略化、小型化、及び軽量化を図ることができる。またさらに、異なる弾性強度のトーションバースプリングを適宜選択して設けることにより、座板１１の保持力及び座板１１への抗力を平易に調節することができ、着座者Ｈの荷重等の相違に対応可能である。この場合、支持部材１４は、座板１１中に組み込まれているものの、図示の如く単純な棒状を成すので、交換作業は簡便であり、また、取り扱いも平易である。
【００４９】
図３は、本発明による着座具及びそれを備える椅子の他の実施形態を模式的に示す斜視図である。椅子２０は、着座具１に替えて、トーションバースプリングを採用した支持部材１４が座板１１の裏面（下面）中央部に把持具１３によって固定された着座具３を備えること以外は、図１に示す椅子１０と同様に構成されたものである。
【００５０】
また、図４は、本発明による着座具及びそれを備える椅子の更に他の実施形態に人が腰掛けた状態を模式的に示す側面図（一部断面図）である。椅子２００は、着座具３の座板１１上面に適宜のクッション材８が付設されたこと以外は、椅子２０と同様に構成されたものである。
【００５１】
このように構成された着座具３、及び椅子２０，２００においては、上述した着座具１、及び椅子１０，１００と同様の作用効果が奏されることに加え、支持部材１４が、座板１１の外部に設けられているので、その交換作業をより簡便にすることができる。
【００５２】
図５は、本発明による着座具及びそれを備える椅子の他の実施形態を模式的に示す斜視図である。椅子３０は、着座具４が四脚の脚体５上に設置されたものである。着座具４は、略矩形を成す板状部材で形成された座板１１を備えており、座板１１全体が、適宜のカバー部材１２で覆われている。また、座板１１における着座方向の後方端部には、トーションバースプリングが筒状体内に収容された支持部材１４が、座板１１の幅方向（着座方向における左右方向）に亘って延在するように、座板１１の内部に組み込まれて保持されている。このように、椅子３０においても、椅子１０，２０と同様に、座板１１が支持部材１４の保持体を兼ねている。
【００５３】
また、座板１１の着座方向における前方部位の裏面中央部には、略棒状を成すシリンダ機構（ダンパー）を備える支持部材１５の一端が接続されており、脚体５の二つの後脚間に跨設された渡り板２１（保持体）の前面中央部には、支持部材１５の他端が接続されている。このように、支持部材１５は、水平方向に対して斜めに（角度を有して）設置されている。かかる接続構造により、支持部材１５が座板１１と脚体５に連結されている。なお、支持部材１５のシリンダ装置としては、油圧等の液圧シリンダ、空気圧等の気圧シリンダ等が挙げられる。
【００５４】
なお、図示において詳細を省略したが、座板１１は、支持部材１４を軸中心として着座方向における前後に回動するように、且つ、その可動範囲が適宜の範囲に規制されるように、脚体５上に保持されている。また、椅子１０，２０，１００，２００と同様に、着座方向における座板１１の前方端部の上面には、緩やかに盛り上がった断面略台形状を成す凸状部材１６が、座板１１の幅方向に亘って延在するように突設されている。
【００５５】
かかる構成の椅子３０においては、支持部材１４のトーションバースプリングが図示矢印Ｓ方向にねじれると、そのねじれ方向と反対向きにねじれるような復元力が生じ、これに伴って、座板１１も矢印Ｓ字方向に回動され、その結果、座板１１の着座方向における前方部位及び後方部位が、略鉛直方に押し上げられる。また、支持部材１５が、図示矢印Ｒ方向に伸縮すると、その伸縮方向と反対向きに収縮・伸張するような復元力が生じ、これにより、支持部材１５が、水平方向に対して斜めに伸縮して座板１１の前方端部が上方に押し出されたり下方に引き込まれたりする。その結果、かかる支持部材１５からの反発力によっても、座板１１は、支持部材１４を支点として図示矢印Ｓ方向に回動され、座板１１の前方部位及び後方部位の略鉛直方向に沿う動きが促進される。
【００５６】
図６は、本発明による着座具及びそれを備える椅子の好適な更に他の実施形態に人が腰掛けた状態を模式的に示す側面図（一部断面図）である。椅子３００は、着座具４の座板１１上面に適宜のクッション材８が付設されたこと以外は、椅子３０と同様に構成されたものである。
【００５７】
このように構成された着座具４、及び椅子３０，３００によれば、上述した着座具１及び椅子１０，１００と同種の作用効果が奏され、しかも、座板１１が前傾した状態では、図６に示す如く、支持部材１４の矢印Ｘｓ方向に働く抗力に加え、支持部材１５の矢印Ｘｒ方向に働く抗力が作用し、これにより、座板１１の前方端部が略鉛直上方に更に引き上げられる。その結果、座板１１は、支持部材１４のみの反発力によるよりも、水平状態により一層復帰するように作動する。
【００５８】
したがって、支持部材１４の反発力だけでは、着座者Ｈが自身の荷重によってある程度前傾姿勢を維持し得ることができたとしても、支持部材１５の反発力によって座板１１の前方端部が更に押し上げられるので、着座者Ｈは、その前傾姿勢を保持するために必要な筋肉を一層緊張させる必要がある。すなわち、支持部材１４，１５の双方の反発力によって、座板１１が水平方向に強力に復元されるような動作が生じるので、下肢共々全身の筋を弛緩させてしまうと、座板１１が簡易に初期の水平状態に復することとなる。こうなると、骨盤が後傾して当初の安楽な着座状態となってしまう。
【００５９】
よって、座板１１の前傾ひいては着座者Ｈの上述した前傾姿勢を保持するためには、下腿の伸筋及び屈筋群（下腿三頭筋）の筋緊張を更に強く持続させる必要があり、このような筋緊張を維持すれば、自律神経の正常な活動を更に一層促進し、身体に生じ得る様々な歪みや種々の障害をより一層効果的且つ総合的に予防及び矯正することが可能となり、更なる美容効果も期待できる。
【００６０】
なお、本発明は上述した実施形態に限定されるものではなく、その要旨を変更しない限度において様々な変形が可能である。例えば、座板１１は、中実の板状体でも中空の板状体でもよく、形状も、平板でなく湾曲していてもよく、矩形板に限られず、円形であっても構わない。また、脚体２は、座板１１の下面中央部に一脚設けられてもよく、その場合、例えば、支持部材１４の下部に脚受具を固定し、それに伸縮ロッド及び油圧シリンダ等を有する脚を設け、油圧シリンダによって伸縮ロッドを駆動して座板１１の高さを調整可能なようにしてもよい。
【００６１】
さらに、支持部材１４，１５が、座板１１の前方端部を予め略鉛直上方へ押すように、すなわち、着座者Ｈが座板１１に着座しておらず荷重が印加されていないときに、支持部材１４のトーションバースプリングに図示矢印Ｘｓ方向の力が印加され、また、支持部材１５のシリンダ装置に図示矢印Ｘｒ方向の力が印加されることにより、座板１１が予め鉛直上方へ付勢されるようにしてもよい。こうすれば、座板１１がそのように付勢されていない場合に比して少ない座板１１の変位で着座者Ｈに同等の筋力負荷を与えることができる。この場合、座板１１及び支持部材１４，１５の動作が軽減されるので、繰り返し使用したときの耐久性をも向上できる。
【００６２】
またさらに、支持部材１５に替えて他のばね、ゴム等の弾性体を用いてもよい。さらにまた、椅子３０，３００においては、支持部材１４及び支持部材１５のいずれか一方のみが、座板１１の前方端部に対して抗力を印加するものであってもよい。加えて、椅子３０，３００では、支持部材１４を座板１１に組み込まず、椅子２０，２００と同様に座板１１の裏面に固定してもよい。
【００６３】
また、椅子には、背もたれ、手すり、肘掛等を設けてなくても構わない。さらに、凸状部材１６は設けなくてもよいが、設けた方が好ましく、また、一体に延在していなくともよく、例えば、左右の大腿部のそれぞれが当接する位置に二分して設置してもよい。さらに、支持部材１４の設置位置は、座板１１の中央部及び後方端部に限られず、着座者Ｈの体型や要望に応じて予め設置位置を適宜調整してもよく、支持部材１４，１５に駆動機構を設け、着座者Ｈ自身が着座持に位置調節をするようにしてもよい。
【産業上の利用可能性】
【００６４】
本発明による着座具及びそれを備える椅子は、支持部材を中心として（支持部材に対して）略鉛直方向に遊動可能に設けられた座板の着座方向における前方部位に鉛直方向の力が作用したときに、その力に抗する力を座板に印加する、或いは、その座板の前方部位を略鉛直上方へ弾性的に支持するものであり、かかる構成により、自律神経の正常な活動を促進し、身体に生じ得る様々な歪みや種々の障害を効果的且つ総合的に予防及び矯正することを実現できるとともに、部品点数を低減して構造の簡素化及び軽量化が可能であり、且つ、座板の下方空間をより大きく確保して着座者の着座状態を不都合に制限してしまうことを防止することが可能となるので、身体の治療及び美容に広く利用することができる。
【図面の簡単な説明】
【００６５】
【図１】本発明による着座具及びそれを備える椅子の好適な一実施形態を模式的に示す斜視図である。
【図２】本発明による着座具及びそれを備える椅子の好適な他の一実施形態に人が腰掛けた状態を模式的に示す側面図（一部断面図）である。
【図３】本発明による着座具及びそれを備える椅子の他の実施形態を模式的に示す斜視図である。
【図４】本発明による着座具及びそれを備える椅子の更に他の実施形態に人が腰掛けた状態を模式的に示す側面図（一部断面図）である。
【図５】本発明による着座具及びそれを備える椅子の他の実施形態を模式的に示す斜視図である。
【図６】本発明による着座具及びそれを備える椅子の好適な更に他の実施形態に人が腰掛けた状態を模式的に示す側面図（一部断面図）である。
【符号の説明】
【００６６】
１，３，４…着座具、２，５…脚体、８…クッション材、１０，２０，１００，２００，３０，３００…椅子、１１…座板、１２…カバー部材、１３…把持具、１４，１５…支持部材、１６…凸状部材、２１…渡り板（保持体）、Ｈ…着座者。
【図１】
2009072292.tif 000003
【図２】
2009072292.tif 000004
【図３】
2009072292.tif 000005
【図４】
2009072292.tif 000006
【図５】
2009072292.tif 000007
【図６】
2009072292.tif 000008